(57)【要約】【課題】  光空間伝送装置の分離光学系のプリズムの位置決め固定を容易にし、組立作業を簡単にすることにより、高精度な位置決めと組立工数の削減を可能にする。【解決手段】  第１および第２の面を張り合わせることで形成し、光源からの光を相手装置側へ偏向するＡ面と、第３および第４の面を張り合わせることで形成し、相手装置からの光を検出器へ偏向するＢ面を有し、送受信光の光束分離を行うプリズムであって、前記Ａ、Ｂ２つの面の法線および送受信光の光軸Ｌ１、Ｌ２は同一平面内に存在可能であり、前記Ａ、Ｂ２つの面を形成する面のどちらか一方のうち、第１および第４の面、または、第２および第３の面が取り付け部材に対して突出した突出面を有するプリズムで、突出面を取り付け部材に押し当てることで方向を決めて固定する。【選択図】  図１
2005084572.tif 000002
【特許請求の範囲】
【請求項１】
第１および第２の面を張り合わせることで形成し、光源からの光を相手装置側へ偏向するＡ面と、第３および第４の面を張り合わせることで形成し、相手装置からの光を検出器へ偏向するＢ面を有し、送受信光の光束分離を行うプリズムであって、前記Ａ、Ｂ２つの面の法線および送受信光の光軸Ｌ１、Ｌ２は同一平面内に存在可能であり、前記Ａ、Ｂ２つの面を形成する面のどちらか一方のうち、第１および第４の面、または、第２および第３の面が取り付け部材に対して突出した突出面を有することを特徴とする分離光学系。
【請求項２】
取り付け部材には、前記突出面に相対する位置決め部材を設け、前記２つの突出面を基準に取り付け部材に取り付けたことを特徴とする請求項１に記載の分離光学系。
【請求項３】
前記取り付け部材にはＡ面もしくはＢ面のどちらか一方の突出面を突き当てる突き当て面と、Ａ面もしくはＢ面の突き当て面に当らない方の面に対して突き当てる突き当て部を設け、更にプリズムを突き当てに押し込む方向から落下防止力を与えてプリズムを取り付け部材に固定することを特徴とする請求項１、２に記載の分離光学系。
【請求項４】
前記取り付け部材にはＡ面もしくはＢ面のどちらか一方の突出面を突き当てる突き当て面を突き当て部２個で形成し、他方の面に対して突き当てる突き当て部を１個設け、更にプリズムを突き当てに押し込む方向から落下防止力を与えてプリズムを取り付け部材に固定することを特徴とする請求項１、２に記載の分離光学系。
【請求項５】
落下防止力に加え、プリズムを取り付け部材に接着をすることを特徴とする請求項３、４に記載の分離光学系。
【発明の詳細な説明】
【技術分野】
【０００１】
本発明は、遠隔地に対し光無線で情報伝達を行う光空間伝送装置に関するものである。
【０００２】
特に相手装置からの光が到達する方向を検出し、自装置を該方向に調整しつつ送受信を行う装置に有効である。
【背景技術】
【０００３】
図１１、図１２に従来の光空間伝送装置の分離光学系のプリズムおよびプリズム取り付け部の略図を示す（例えば、特開２００１−１１１４９１参照）。
【０００４】
図１１において、第１および第２の面を張り合わせることで形成し、光源からの光を相手装置側へ偏向するＡ面と、第３および第４の面を張り合わせることで形成し、相手装置からの光を検出器へ偏向および透過するＢ面を有し、送受信光の光束分離を行うプリズムであって、分離光学系を構成するプリズムの端面がほぼ同一平面になるように貼り付けられておりその面を取り付け面１１４とする。前記取り付け面１１４とプリズム台１１３を接着することによりプリズムをプリズム台１１３に固定し、さらにプリズム台１１３をプリズム取り付け部１１５にビス１６等で固定することによりプリズムの組付けを行う。
【０００５】
また、プリズム台１１３を分離光学系本体１１５に固定する時には、図１２に示すように光源１０４と第１の検出器１０５ａと第２の検出器１０５ｂの方向をプリズム台１１３ごと矢印のように動かすことにより調整して送受信光の光軸調整をする。
【発明の開示】
【発明が解決しようとする課題】
【０００６】
しかしながら上述の従来例においては、プリズムをプリズム台１１３に接着固定した後にプリズム台１１３を分離光学系の本体１１５に固定する必要があるため、接着のための時間、固定の手間、光軸調整が必要であるため組立に時間がかかってしまう。また、プリズム台１１３の部品を構成する必要がある。そのためにコストが高くなってしまうという問題がある。
【課題を解決するための手段】
【０００７】
上記問題を解決するために本発明の分離光学系は、第１および第２の面を張り合わせることで形成し、光源からの光を相手装置側へ偏向するＡ面と、第３および第４の面を張り合わせることで形成し、相手装置からの光を検出器へ偏向するＢ面を有し、送受信光の光束分離を行うプリズムであって、前記Ａ、Ｂ２つの面の法線および送受信光の光軸Ｌ１、Ｌ２は同一平面内に存在可能であり、前記Ａ、Ｂ２つの面を形成する面のどちらか一方のうち、第１および第４の面、または、第２および第３の面が取り付け部材に対して突出した突出面を有することを特徴とする。また、固定の際には突出面を取り付け部材に押し当てることにより方向を決めて固定することを特徴とする。
【発明の効果】
【０００８】
以上説明したように、本発明に係る分離光学系では、プリズム取り付け部の突き当て部の寸法精度が良ければプリズムを無調整で組み込むことが出来、さらに落下防止力を加えるためにプリズムをプリズム取り付け台に接着する場合にも接着剤が硬化するのを待つ必要が無い。また、プリズムの反射面と透過面を突き当て、または押えて固定するためにプリズム端面での接着固定が必要なくなり、端面の仕上げを荒くすることも可能になる。さらに、プリズムの位置決めを反射面で行うために例えば図３に示すようなプリズムの形状に貼り付ける場合の貼り付け精度の許容誤差が大きく設定できるようになる。また、第３の実施例に示すようにフィルターを挟んで構成したプリズムの位置決めも容易になり、高性能のプリズムを簡単に組み立てられるようになる。
【０００９】
これらのことから、部品点数の削減、組立時間の短縮、無調整化、光学的性能の向上が可能になり製品のコストダウンと性能アップが同時に可能になる。
【発明を実施するための最良の形態】
【００１０】
図１〜５に図示の実施例について詳細に説明する。
【００１１】
図１は本発明の第１の実施例の分離光学系を光軸上から見た図である。光源４からＡ面に当り偏向して相手側装置に向かう送信光６と、相手側装置からＡ面を透過してＢ面に当り偏向して第１の検出器５ａと、Ｂ面を透過して第２の検出器５ｂに向かう受信光７の２つの光軸が同一平面上に存在する。
【００１２】
また、このとき図２に示すようにＡ面を構成する２つの面の内の第１の面１ａを有するプリズムをプリズム１、Ａ面を構成する２つの面の内の第２の面およびＢ面を構成する２つの面の内の第３の面を有するプリズムをプリズム２、Ｂ面を構成する２つの面の内の第４の面を有するプリズムをプリズム３としたとき、プリズム２の第２の面２ａおよび第３の面２ｂがプリズム１およびプリズム３より突出するように構成すると図３に示すようなプリズムが出来る。
【００１３】
このプリズムをプリズム取り付け部１１に固定するには、図４ａに示すように突き当て面８を第２の面２ａに、突き当て部９を第３の面２ｂに突き当て、最後に落下防止力１０を押さえ面２ｃの方向から加えることによりプリズムはプリズム取り付け部１１に押し付けられ固定が出来る。また、このとき突き当て面８を第３の面２ｂ、突き当て部９を第２の面２ａに突き当ててもよい。また、突き当てと同時に接着してもよい。さらに、図４ｂに示すように、面でなく、第２の面２ａ、もしくは第３の面２ｂに突き当るどちらか一方に突き当て部９を２箇所設けることにより方向を決めることも可能である。
【００１４】
また、このときプリズム取り付け部１１の突き当て面８、および突き当て部９の高さは図５に示すようにプリズム１およびプリズム３の端面に触れない高さにすることによりプリズム固定時の歪みを少なくすることが出来る。
【００１５】
図６〜７には本発明の第２の実施例のプリズムの外観を示す。このときプリズム５１およびプリズム５３の第１の面５１ａおよび第４の面５３ａがプリズム５２より突出するように構成されている。
【００１６】
このプリズムをプリズム取り付け部に固定するには、図７ａに示すように突き当て面５５を第１の面５１ａに、突き当て部５４を第４の面５３ａに突き当て、最後に落下防止力５６を押さえ面５１ｂ・５３ｂの方向から加えることによりプリズムはプリズム取り付け部に押し付けられ固定が出来る。また、このとき突き当て面５５を第４の面５３ａ、突き当て部５４を第１の面５１ａに突き当ててもよい。また、突き当てと同時に接着してもよい。さらに、図７ｂに示すように、面でなく、第１の面５１ａ、もしくは第４の面５３ａに突き当るどちらか一方に突き当て部５４を２箇所設けることにより方向を決めることも可能である。
【００１７】
図８〜１０は本発明の第３の実施例の分離光学系の光軸の通る面を上から見た図である。光源６５からプリズム６１の第１の面６１ａとフィルター第１面６４ａにより構成されるＡ１面に当り偏向して相手側装置に向かう送信光６７と、相手側装置からＡ１およびプリズム６２の第２の面６２ａとフィルター第２面６４ｂにより構成されるＡ２面を透過してＢ面に当り偏向して第１の検出器６６ａとＢ面を透過して第２の検出器６６ｂに向かう受信光６８の２つの光軸が同一平面上に存在する。
【００１８】
このとき、プリズム６２の第２の面６２ａおよび第３の面６２ｂがプリズム６１およびプリズム６３より突出するように構成し、フィルター６４もプリズム６１およびプリズム６３から突出するように構成すると、図９ａおよび図９ｂに示すようにフィルター第１面６４ａと第３の面６２ｂをプリズム取り付け台に突き当てて方向を決めて押さえ面６２ｃに落下防止力７１を加えることによりプリズムをプリズム取り付け台に固定することが出来る。
【００１９】
また、第２の実施例と同様にプリズム６１とプリズム６３がプリズム６２より突出している場合にも同様に、フィルター第２面６４ｂと第４の面６３ａをプリズム取り付け台に突き当てて方向を決め、押さえ面６１ｂ・６３ｂから落下防止力７１を加えて固定する。
【００２０】
さらに、フィルター６４が小さい方のプリズムから突出しないような大きさの場合には第１および第２の実施例と同様に第１の面６１ａと第４の面６３ａもしくは第２の面６２ａと第３の面６２ｂを突き当てて押えることにより固定することが出来る。
【図面の簡単な説明】
【００２１】
【図１】第１および第２の実施例の分離光学系を光軸上から見た図である。
【図２】第１および第２の実施例のプリズムの構成を示した図である。
【図３】第１の実施例のプリズムの外観図である。
【図４】第１の実施例のプリズム固定部を示した図である。
【図５】第１の実施例のプリズムとプリズム取り付け部の高さの関係を示した断面図である。
【図６】第２の実施例のプリズムの外観図である。
【図７】第２の実施例のプリズム固定部を示した図である。
【図８】第３および第４の実施例の分離光学系を光軸上から見た図である。
【図９】第３の実施例のプリズム固定部を示した図である。
【図１０】第３の実施例のプリズム固定部を示した図である。
【図１１】従来のプリズム取り付けの概略図である。
【図１２】従来の分離光学系を光軸上から見た図である。
【符号の説明】
【００２２】
１、５１、６１、１０１  第１のプリズム
１ａ、５１ａ、６１ａ  第１の面
１ｂ、５１ｂ、６１ｂ  押さえ面
２、５２、６２、１０２  第２のプリズム
２ａ、５２ａ、６２ａ  第２の面
２ｂ、５２ｂ、６２ｂ  第３の面
２ｃ、５２ｃ、６２ｃ  押さえ面
３、５３、６３、１０３第３のプリズム
３ａ、５３ａ、６３ａ  第４の面
３ｂ、５３ｂ、６３ｂ  押さえ面
４、６５、１０４  光源
５、６６、１０５  検出器
５ａ、６６ａ、１０５ａ  第１の検出器
５ｂ、５５ｂ、１０５ｂ  第２の検出器
６、６７  送信光
７、６８  受信光
８、５５、６９  突き当て面
９、５４、７０  突き当て部
１０、５６、７１  落下防止力
１１  プリズム取り付け部
６４  フィルター
６４ａ  フィルター第１面
６４ｂ  フィルター第２面
１１３  プリズム台
１１４  取り付け面
１１５  分離光学系本体
１１６  ビス
【図１】
2005084572.tif 000003
【図２】
2005084572.tif 000004
【図３】
2005084572.tif 000005
【図４】
2005084572.tif 000006
【図５】
2005084572.tif 000007
【図６】
2005084572.tif 000008
【図７】
2005084572.tif 000009
【図８】
2005084572.tif 000010
【図９】
2005084572.tif 000011
【図１０】
2005084572.tif 000012
【図１１】
2005084572.tif 000013
【図１２】
2005084572.tif 000014